(57)【特許請求の範囲】
【請求項１】
複数の筐体内に複数の回路部を備える複数の制御盤と、
前記複数の制御盤の下部に設けられる配線収納用の複数の配線箱と、
を備え、
前記複数の制御盤は横方向に並設されるエレベータ制御装置において、
前記配線箱を通る電力線を制御盤間に接続するための第１の複数の端子が、前記複数の制御盤の一面側に設けられ、
前記配線箱を通る前記電力線を制御盤と建屋電源および外部との間に接続するための第２の複数の端子が、前記複数の制御盤における前記一面側の反対面側に設けられ、
前記制御盤間に接続される前記電力線は、前記配線箱内において前記一面側寄りに設けられ、
前記制御盤と前記外部との間に接続される前記電力線および前記制御盤と前記建屋電源との間に接続される前記電力線は、前記配線箱内において前記反対面側寄りに敷設され、
前記電力線は、絶縁被覆も含めて直径２０〜４０ｍｍの電力ケーブルであり、
前記複数の制御盤は、前記建屋電源から電力を受電する受電回路部を備える受電盤と、電源用のフィルタ回路部を備えるフィルタ盤と、前記建屋電源からの前記電力を可変電圧可変周波数の交流電力に変換する電力変換回路部および前記電力変換回路部の出力に接続されるリアクトルを備える主回路盤と、を含み、
前記主回路盤内において、前記電力変換回路部は上端側に隣接し、前記リアクトルは前記電力変換回路部の下方に設置され、
前記複数の制御盤は、前記受電盤、前記フィルタ盤、前記主回路盤の順に、横一列に並設され、
前記第１の複数の端子は、
前記受電盤の前記一面側において、前記受電盤の下端側に位置する端子と、
前記フィルタ盤の前記一面側において、前記フィルタ回路部の上方に位置する入力端子および前記フィルタ回路部の下方に位置する出力端子と、
前記主回路盤の前記一面側において、前記主回路盤の下端側に隣接し、前記主回路盤の筐体側面の内、前記フィルタ盤とは反対側の筐体側面により近く位置する端子と、
を含み、
前記受電盤の前記一面側における前記端子と、前記フィルタ回路部の上方に位置する前記入力端子とが、前記電力線によって接続され、
前記フィルタ回路部の下方に位置する前記出力端子と、前記主回路盤の前記一面側における前記端子とが、前記電力線によって接続され、
前記受電回路部は、前記受電盤の前記一面側における前記端子に隣接する電磁接触器と、前記受電盤の上端側に位置する主遮断器とを有し、
前記第２の複数の端子は、
前記受電盤の前記反対面側において、前記受電盤の高さ方向の中央付近に位置する端子と、
前記主回路盤の前記反対面側において、前記主回路盤の下端部内において、前記主回路盤の前記筐体側面の内、前記フィルタ盤側の筐体側面により近く位置する端子と、
を含み、
前記建屋電源からの前記電力線は、前記受電盤の下部における前記配線箱の側面から引き込まれ、前記受電盤内において、前記受電盤の前記反対面側における前記端子に接続され、
前記主回路盤の前記反対面側における前記端子に接続される前記電力線は、前記主回路盤の下部における前記配線箱を通って、前記主回路盤の下部における前記配線箱の側面から前記外部へ取り出されることを特徴とするエレベータ制御装置。
【請求項２】
請求項１において、
前記配線箱内において、前記一面側寄りに設けられる前記電力線と、前記反対面側寄りに設けられる前記電力線との間に、信号線が設けられることを特徴とするエレベータ制御装置。
【請求項３】
請求項１において、
前記複数の制御盤は機械室内に設置され、
前記外部が前記機械室に設置される巻上機の電動機であることを特徴とするエレベータ制御装置。
【請求項４】
主ロープが巻き掛けられる巻上機と、
前記主ロープによって吊られる乗りかごおよび釣り合い錘と、
前記巻上機の電動機を駆動する制御装置と、
を備え、
前記制御装置からの電力によって前記電動機が駆動されると前記乗りかごが昇降するエレベータにおいて、
前記制御装置は、請求項１に記載のエレベータ制御装置であることを特徴とするエレベータ。
【発明の詳細な説明】
【技術分野】
【０００１】
本発明は、エレベータに電力を供給するエレベータ制御装置およびそれを用いるエレベータに関する。 
【背景技術】
【０００２】
エレベータ制御装置は、エレベータに供給する電力を出力する電力変換回路部や、商用交流電源などの建屋電源からの電力を受電する受電回路部などが筐体に格納される、制御盤によって構成される。高速および超高速エレベータ用のエレベータ制御装置は、制御盤の寸法が大きくなり、また複数の制御盤からなるため、通常、機械室に配置され、機械室内において、建屋電源や巻上機と電力線（電力ケーブル）によって電気的に接続される。
【０００３】
機械室に配置されるエレベータ制御装置の電力線の配線については、特許文献１および特許文献２に記載の技術が知られている。
【０００４】
特許文献１に記載の技術において、電力線は、制御盤の端子台から、制御盤の下部に設けられる配線箱を通して機械室床に設置される配線ダクト内に敷設され、建屋電源や巻上機に接続される。
【０００５】
また、特許文献２に記載の技術は、電力変換回路部が複数並列接続され、複数の制御盤を備える大容量のエレベータ制御装置に関するものであるが、同様に制御盤の下部に設けられる配線箱や配線ダクトを通して電力線が敷設される。
【先行技術文献】
【特許文献】
【０００６】
【特許文献１】特開平４−２９８４６９号公報
【特許文献２】特開２００９−７１０８４号公報
【発明の概要】
【発明が解決しようとする課題】
【０００７】
上記従来技術では、制御盤の下方のスペースが少なく、線径が大きく曲げにくい電力線の敷設作業の作業性が低いという問題がある。特に、電力変換回路部に適用される半導体デバイスおよびパワーエレクトロニクス技術の進歩により、電力変換回路部の小型・高密度化が進み、配線スペースがさらに少なくなっている。このため、作業性がより一層低下することが懸念される。
【０００８】
さらに、電力線が交差する箇所では、ダクトを深くしたり、床面上に突出させたりしなければならず、作業者の機械室内での作業の妨げになるなど、電力線敷設の作業性や保守作業性の低下を招く。また、電力線が交差しないようにすると、ダクトの幅が広がり、狭い機械室においてダクトが占めるスペースが増えてしまう。
【０００９】
そこで、本発明は、電力線の敷設作業の作業性を向上することができるエレベータ制御装置およびそれを用いるエレベータを提供する。
【課題を解決するための手段】
【００１０】
上記課題を解決するために、本発明によるエレベータ制御装置は、複数の筐体内に複数の回路部を備える複数の制御盤と、複数の制御盤の下部に設けられる配線収納用の複数の配線箱と、を備え、複数の制御盤は横方向に並設されるものであって、配線箱を通る電力線を制御盤間に接続するための第１の複数の端子が、複数の制御盤の一面側に設けられ、配線箱を通る電力線を制御盤と建屋電源および外部との間に接続するための第２の複数の端子が、複数の制御盤における一面側の反対面側に設けられ、制御盤間に接続される電力線は、配線箱内において一面側寄りに設けられ、制御盤と外部との間に接続される電力線および制御盤と建屋電源との間に接続される電力線は、配線箱内において反対面側寄りに敷設され、電力線は、絶縁被覆も含めて直径２０〜４０ｍｍの電力ケーブルであり、複数の制御盤は、建屋電源から電力を受電する受電回路部を備える受電盤と、電源用のフィルタ回路部を備えるフィルタ盤と、建屋電源からの電力を可変電圧可変周波数の交流電力に変換する電力変換回路部および電力変換回路部の出力に接続されるリアクトルを備える主回路盤と、を含み、主回路盤内において、電力変換回路部は上端側に隣接し、リアクトルは電力変換回路部の下方に設置され、複数の制御盤は、受電盤、フィルタ盤、主回路盤の順に、横一列に並設され、第１の複数の端子は、受電盤の一面側において、受電盤の下端側に位置する端子と、フィルタ盤の一面側において、フィルタ回路部の上方に位置する入力端子およびフィルタ回路部の下方に位置する出力端子と、主回路盤の一面側において、主回路盤の下端側に隣接し、主回路盤の筐体側面の内、フィルタ盤とは反対側の筐体側面により近く位置する端子と、を含み、受電盤の一面側における端子と、フィルタ回路部の上方に位置する入力端子とが、電力線によって接続され、フィルタ回路部の下方に位置する出力端子と、主回路盤の一面側における端子とが、電力線によって接続され、受電回路部は、受電盤の一面側における端子に隣接する電磁接触器と、受電盤の上端側に位置する主遮断器とを有し、第２の複数の端子は、受電盤の反対面側において、受電盤の高さ方向の中央付近に位置する端子と、主回路盤の反対面側において、主回路盤の下端部内において、主回路盤の筐体側面の内、フィルタ盤側の筐体側面により近く位置する端子と、を含み、建屋電源からの電力線は、受電盤の下部における配線箱の側面から引き込まれ、受電盤内において、受電盤の反対面側における端子に接続され、主回路盤の反対面側における端子に接続される電力線は、主回路盤の下部における配線箱を通って、主回路盤の下部における配線箱の側面から外部へ取り出される。
【００１１】
さらに、上記課題を解決するために、本発明によるエレベータは、主ロープが巻き掛けられる巻上機と、主ロープによって吊られる乗りかごおよび釣り合い錘と、巻上機の電動機を駆動する制御装置と、を備え、制御装置からの電力によって電動機が駆動されると乗りかごが昇降するものであって、制御装置は、上記本発明によるエレベータ制御装置である。
【発明の効果】
【００１２】
本発明によれば、制御盤間に接続される電力線、および制御盤と外部との間に接続される電力線が、配線箱内において、それぞれ、エレベータ制御装置の一面側寄りおよびその反対面側寄りに敷設することができる。これにより、配線箱内にスペースを確保できるので、電力線の敷設作業の作業性を向上できる。
【００１３】
上記した以外の課題、構成および効果は、以下の実施形態の説明により明らかにされる。
【図面の簡単な説明】
【００１４】
【図１】実施例１のエレベータ制御装置の外観を示す。
【図２（ａ）】実施例１のエレベータ制御装置の前面側を示す。
【図２（ｂ）】実施例１のエレベータ制御装置の背面側を示す。
【図２（ｃ）】図２（ａ）における断面Ａ−Ａ’の矢視図である。
【図３】実施例１のエレベータ制御装置の概略回路構成を示す。
【図４】図３における電力変換回路部の回路構成を示す。
【図５】実施例２のエレベータ制御装置の外観を示す。
【図６（ａ）】実施例２のエレベータ制御装置の前面側を示す。
【図６（ｂ）】実施例２のエレベータ制御装置の背面側を示す。
【図６（ｃ）】図６（ａ）における断面Ｂ−Ｂ’の矢視図である。
【発明を実施するための形態】
【００１５】
本発明の実施例を、図面を参照しながら説明する。なお、図中、同一または類似の構成要素には同じ符号を付す。
【実施例１】
【００１６】
本発明の実施例１であるエレベータ制御装置について、図１〜４を参照しながら説明する。
【００１７】
図１は、本実施例１のエレベータ制御装置の外観を示す。なお、図１は、空冷用の吸気口や操作スイッチおよび計器類などが設けられるエレベータ制御装置の前面側を示し、かつエレベータ制御装置の各制御盤の扉あるいは前面蓋が閉じられた状態を示す。
【００１８】
図１に示すように、エレベータ制御装置１は、複数（本実施例では５台）の制御盤、すなわち、建屋電源から電力を受電する受電回路部を備える受電盤２と、電源用のフィルタ回路部を備えるフィルタ盤３と、建屋電源からの電力を可変電圧可変周波数の交流電力に変換する電力変換回路部を備える主回路盤４１，４２と、電力変換回路部を制御したり、エレベータ制御装置１の外部と通信したりする制御回路部を備える信号盤５とから構成される。各制御盤において、各回路部は各筐体内に収納される。受電盤２、フィルタ盤３、主回路盤４１、信号盤５および主回路盤４２は、この順に、エレベータ制御装置１の前面に向かって右側から、横一列に並設される。主回路盤４１，４２が備える電力変換回路部は並列運転される。これにより、エレベータ制御装置１が大容量化されている。
【００１９】
受電盤２、フィルタ盤３、主回路盤４１、信号盤５および主回路盤４２の各直下部には、それぞれ配線箱６２，６３，６４，６５および６６が設置される。各制御盤間およびエレベータ制御装置外への電力線（本実施例では、電力ケーブル）は、これら配線箱内を通して敷設されると共に、これらの配線箱内に収納される。図１に示すように、受電用の電力線は、受電盤２下の配線箱６２の図中右側の露出側面からエレベータ制御装置外へ取り出され、図示しない配線ダクトや配線管などを用いて建屋電源まで敷設される。また、主回路盤４１，４２の出力用の電力線は、図示されないが、主回路盤４２下の配線箱６６の図中左側の露出側面からエレベータ制御装置外へ取り出され、配線ダクトや配線管などを用いて巻上機の電動機まで敷設される。
【００２０】
図３は、実施例１のエレベータ制御装置の概略回路構成を示す。なお、特に断らない限り、以下の構成において、制御盤間、部品間および回路部間は電力線によって接続される。
【００２１】
商用の三相交流電源が適用される建屋電源８１から受電盤２の端子台７１に電力線が接続される。受電盤２においては、主遮断器２０が端子台７１に接続され、主遮断器２０から、並列に２系統に分かれて、一方の系統は電磁接触器２１を介して端子台７２に接続され、他方の系統は電磁接触器２２を介して端子台７３に接続される。
【００２２】
フィルタ盤３において、フィルタ回路部３１の一端（入力端子）および他端（出力端子）は、それぞれ、受電盤２の端子台７２および主回路盤４１の端子台７４に接続され、フィルタ回路部３２の一端（入力端子）および他端（出力端子）は、それぞれ、受電盤２の端子台７３および主回路盤４２の端子台７６に接続される。なお、本実施例１では、フィルタ盤３には端子台を設けずに、フィルタ回路部３１，３２を構成するリアクトル等の端子に電力線を直接接続する。
【００２３】
主回路盤４１においては、電力変換回路部１０の入力が端子台７４に接続され、電力変換回路部１０の出力がリアクトル４０を介して端子台７５に接続される。また、主回路盤４２においても、電力変換回路部１０の入力が端子台７６に接続され、電力変換回路部１０の出力がリアクトル４０を介して端子台７７に接続される。各電力変換回路１０は、信号盤５が備える制御回路部５０から信号線によって伝送される制御信号によって制御され、所望の電動機速度に応じて、可変電圧可変周波数の三相交流電力を出力する。なお、制御回路部５０は、通信用の信号線を介して、外部機器との通信も行う。
【００２４】
主回路盤４１，４２から出力される三相交流電力は、端子台７５，７７に接続される電力線によって巻上機用の電動機８２に供給される。供給された三相交流電力によって電動機８２が回転すると、巻上機に巻き掛けられる主ロープ８４が駆動される。これにより、図示されない昇降路内において、主ロープ８４によって吊られる乗りかご８３および釣り合い錘８５が、昇降路内を昇降する。
【００２５】
図４は、図３における電力変換回路部１０の回路構成を示す。図４に示すように、電力変換回路部１０は、建屋電源８１（図３）からの商用三相交流電力を直流電力に変換するコンバータ１０１と、コンバータ１０１の出力電圧を平滑化する平滑コンデンサ１０３と、平滑コンデンサ１０３を介してコンバータ１０１から入力する直流電力を三相交流電力に変換するインバータ１０２とから構成される。コンバータ１０１およびインバータ１０２は、半導体スイッチング素子（図４ではＩＧＢＴ）およびダイオードが逆並列に接続される上下アームが直列に接続されるアーム回路を内蔵するパワーモジュール１００を交流の相数分すなわち３個もちいて３相ブリッジ回路が構成される。図３に示した信号盤５が備える制御回路部５０から信号線によって伝送される制御信号によって、半導体スイッチング素子がオン・オフ制御されることにより、コンバータ１０１は上述したように商用三相交流電力を直流電力に変換するとともに、電動機８２が回生運転される場合に回生電力を建屋電源８１に回生する。また、半導体スイッチング素子がオン・オフ制御されることにより、インバータ１０２は、入力した直流電力を、所望の電動機速度に応じて、可変電圧可変周波数の三相交流電力に変換して出力する。
【００２６】
次に、本実施例１のエレベータ制御装置における電力線の敷設について、図２（ａ）〜（ｃ）を参照しながら説明する。なお、図２（ａ）は、エレベータ制御装置の前面側を示し、かつ、配線状態を分かりやすくするため扉あるいは蓋が除かれた状態を示す。図２（ｂ）は、エレベータ制御装置の前面側の反対側、すなわち背面側を示し、かつ、同様に扉あるいは蓋が除かれた状態を示す。図２（ｃ）は、図２（ａ）における断面Ａ−Ａ’の矢視図である。
【００２７】
図２（ａ）に示すように、受電盤２の前面側において、主遮断器２０は上端側に位置し、端子台７２，７３は下端側に位置する。また、端子台７２の直上には、電磁接触器２１が、端子台７２に隣接し、端子台７３の直上には、電磁接触器２２が、端子台７３に隣接する。受電盤２の幅方向において、端子台７２，７３は、この順で右左に横一列に並設され、電磁接触器２１，２２も、この順で右左に横一列に並設される。なお、電磁接触器２１，２２は、受電盤２の高さ方向において、下方、かつ主遮断器２０と端子台７２，７３との間に位置する。また、主遮断器２０の動作状態を視認できるように、受電盤２の前面側の扉または蓋は開口部を有しても良い。
【００２８】
また、図２（ａ）が示すように、フィルタ盤３内の高さ方向において、フィルタ回路部３１，３２は、この順で上下一列に並設される。フィルタ回路部３１は、その高さ方向すなわちフィルタ盤３の高さ方向において、フィルタ回路部３１の一端（入力端子）および他端（出力端子）がこの順で上下に位置するとともにフィルタ盤３の前面側に位置するように、フィルタ盤３において設置される。また、フィルタ回路部３２は、その高さ方向すなわちフィルタ盤３の高さ方向において、フィルタ回路部３２の一端（入力端子）および他端（出力端子）がこの順で上下に位置するとともにフィルタ盤３の前面側に位置するように、フィルタ盤３において設置される。
【００２９】
さらに、図２（ａ）が示すように、主回路盤４１内において、電力変換回路部１０は、その上端が主回路盤４１の上端側に隣接するように設置され、リアクトル４０および端子台７４は電力回路部１０の下方において、主回路盤４１の下端側に隣接するように設置される。また、主回路盤４１の前面側において、リアクトル４０および端子台７４は、この順で右左に横一列に並設される。すなわち、フィルタ盤３と端子台７４との間には、主回路盤４１のリアクトル４０が位置する。また、主回路盤４２内において、電力変換回路部１０は、その上端が主回路盤４２の上端側に隣接するように設置され、リアクトル４０および端子台７６は電力回路部１０の下方において、主回路盤４２の下端側に隣接するように設置される。また、主回路盤４２の前面側において、リアクトル４０および端子台７６は、この順で右左に横一列に並設される。すなわち、フィルタ盤３と端子台７６との間には、少なくとも主回路盤４１のリアクトル４０が位置する。なお、本実施例１においては、フィルタ盤３と端子台７６との間に、主回路盤４１および信号盤５も介在している。
【００３０】
なお、端子台７２，７３，７４，７６およびフィルタ回路部３１，３２の一端および他端は、各々、交流３相分の端子すなわち３個の端子を備える。そして、この３個の端子は、各制御盤の幅方向に横一列に並ぶように配置される。
【００３１】
上記のようなエレベータ制御装置の前面側において、端子台７２とフィルタ回路部３１の一端は、端子台７２とフィルタ回路部３１の一端との間に敷設される電力線によって、電気的に接続される。同様に、端子台７３とフィルタ回路部３２の一端も、電力線によって電気的に接続される。また、同前面側において、フィルタ回路部３１の他端と端子台７４は、フィルタ回路部３１の他端と端子台７４との間に敷設される電力線によって、電気的に接続される。同様に、フィルタ回路部３２の他端と端子台７６も、電力線によって電気的に接続される。
【００３２】
端子台７２に接続される電力線は、受電盤２内を下方へ伸び、配線箱６２内で曲げられ、配線箱６２内を通って、さらに配線箱６３内を通ると共に配線箱６３内で曲げられ、受電盤２側のフィルタ盤３の筐体側面に沿ってフィルタ盤３内を上方へ伸びて、フィルタ回路部３１の一端に接続される。端子台７３に接続される電力線は、受電盤２内を下方へ伸び、配線箱６２内で曲げられ、配線箱６２内を通って、さらに配線箱６３内を通ると共に配線箱６３内で曲げられ、受電盤２側のフィルタ盤３の筐体側面に沿ってフィルタ盤３内を上方へ伸びて、フィルタ回路部３２の一端に接続される。
【００３３】
フィルタ回路部３１の他端に接続される電力線は、受電盤２側の反対側（主回路盤４１側）のフィルタ盤３の筐体側面に沿ってフィルタ盤３内を下方へ伸び、配線箱６３内を通ると共に配線箱６３内で曲げられ、さらに配線箱６４内を通ると共に配線箱６４内で曲げられ、主回路盤４１内を上方へ伸びて、端子台７４に接続される。フィルタ回路部３２の他端に接続される電力線は、フィルタ盤３内を下方へ伸び、配線箱６３内を通ると共に配線箱６３内で曲げられ、さらに配線箱６４内、配線箱６５内および配線箱６６内を順次通って、さらに配線箱６６内で曲げられ、主回路盤４２内を上方へ伸びて、端子台７６に接続される。
【００３４】
なお、本実施例においては、電力線として、絶縁被覆も含めて直径２０〜４０ｍｍの電力ケーブルが適用される。従って、本実施例の電力線は、一般的には、大きな曲率では曲げにくい。
【００３５】
上述したように、端子台７２，７３，７４，７６およびフィルタ回路部３１，３２の端子がエレベータ制御装置１の前面側に配置されているので、制御盤間を接続する電力線はエレベータ制御装置１の前面側において接続され、図２（ｃ）に示すように、各配線箱内において、エレベータ制御装置１の前面側寄りに敷設される。これにより、電力線を、配線箱内において背面側と前面側との間に敷設するような作業が低減されたり不要になったりするとともに、各配線箱内にスペースが確保され、電力線の敷設作業が容易になる。
【００３６】
また、主回路盤４１において、端子台７４とフィルタ盤３との間には、リアクトル４０が介在する。すなわち、端子台７４は、主回路盤４１において、主回路盤４１の筐体側面の内、フィルタ盤３とは反対側の筐体側面により近く位置する。このため、端子台７４はフィルタ盤３から横方向に離れているので、フィルタ回路部３１の他端に接続される電力線は、配線箱６４内において比較的大きな曲率半径で曲げて端子台７４に接続することができる。また、端子台７６は、主回路盤４２において、主回路盤４２の筐体側面の内、フィルタ盤３とは反対側の筐体側面により近く位置する。さらに、主回路盤４２とフィルタ盤３との間には、主回路盤４１および信号盤５が介在する。このため、端子台７６はフィルタ盤３から横方向に離れているので、フィルタ回路部３２の他端に接続される電力線は、配線箱６６内において比較的大きな曲率半径で曲げて端子台７６に接続することができる。従って、配線箱内での電力線の制御盤間敷設作業が容易になり、敷設作業の作業性が向上する。
【００３７】
次に、図２（ｂ）に示すように、受電用の端子台７１は、受電盤２の背面側において、受電盤２の高さ方向の中央付近に位置する。また、端子台７５は、主回路盤４１の背面側の下端部内において、主回路盤４１の筐体側面の内、フィルタ盤３側の筐体側面により近く位置し、かつリアクトル４０に対向する。さらに、端子台７７は、主回路盤４２の背面側の下端部内において、主回路盤４２の筐体側面の内、フィルタ盤３側の筐体側面により近く位置し、かつリアクトル４０に対向する。
【００３８】
なお、端子台７１，７５，７７は、各々、交流３相分の端子すなわち３個の端子を備える。そして、この３個の端子は、各制御盤の幅方向に横一列に並ぶように配置される。
【００３９】
図２（ｂ）に示すように、建屋電源８１からの電力線は、配線箱６２の側面から配線箱６２内へ引き込まれ、配線箱６２内で曲げられて、受電盤２内において受電盤２の高さ方向に伸び、端子台７１に接続される。本実施例１のエレベータ制御装置１は２台の主回路盤４１，４２を備えるため、建屋電源８１から取り込む電力が大きくなるので、端子台７１には、一相当たり２本（三相で計６本）の電力線が接続される。端子台７５に接続される電力線は、主回路盤４１内で下方へ伸び、配線箱６４内で曲げられ、配線箱６４，６５，６６を通って、配線箱６６の側面から外部へ取り出される。また、端子台７７に接続される電力線は、主回路盤４２内で下方へ伸び、配線箱６６内で曲げられ、配線箱６６を通って、配線箱６６の側面から外部へ取り出される。配線箱６６から取り出された各電力線は、エレベータ制御装置１と共に機械室内に設置される巻上機の電動機に接続される。
【００４０】
上述したように、端子台７１，７５，７７がエレベータ制御装置１の背面側に配置されているので、建屋電源および巻上機用の電動機、すなわち外部と、制御盤との間を接続する電力線は、エレベータ制御装置１の背面側において接続され、図２（ｃ）に示すように、各配線箱内において、エレベータ制御装置１の背面側寄りに敷設される。これにより、電力線を、配線箱内において背面側と前面側との間に敷設するような作業が低減されたり不要になったりするとともに、各配線箱内にスペースが確保され、電力線の敷設作業が容易になる。
【００４１】
また、端子台７１は、受電盤２の高さ方向の中央付近に位置するため、配線箱６２の側面から引き込まれる電力線は、配線箱６２内において比較的大きな曲率半径で曲げて端子台７１に接続することができる。さらに、端子台７５は、主回路盤４１内においてフィルタ盤３側の筐体側面に隣接する。すなわち、端子台７５は、主回路盤４１の筐体側面の内、電力線が巻上機へ向かって引き出される配線箱６６の側面側とは反対側における筐体側面により近く位置する。このため、端子台７５に接続される電力線は、配線箱６４内で曲げられた後、配線箱６４内を水平方向へ伸びるように敷設される。これにより、電力線は、比較的大きな曲率半径で曲げて端子台７５に接続することができる。また、端子台７７は、主回路盤４２内においてフィルタ盤３側の筐体側面に隣接する。すなわち、端子台７７は、主回路盤４２の筐体側面の内、電力線が巻上機へ向かって引き出される配線箱６６の側面側とは反対側における筐体側面により近く位置する。このため、端子台７７に接続される電力線は、配線箱６６内で曲げられた後、配線箱６６内を水平方向へ伸びるように敷設される。これにより、電力線は、比較的大きな曲率半径で曲げて端子台７７に接続することができる。従って、配線箱内での電力線の制御盤と外部間における敷設作業が容易になり、敷設作業の作業性が向上する。
【００４２】
図２（ｃ）に示すように、受電盤２とフィルタ盤３との間の電力線、フィルタ盤３と主回路盤４１，４２との間の電力線はエレベータ制御装置１の前面寄りの位置に敷設され、建屋電源と受電盤２との間の電力線、主回路盤４１，４２と電動機との間の電力線はエレベータ制御装置１の背面寄りに敷設される。このため、配線箱内における電力線の交差を低減あるいはなくすことができるので、作業性が向上すると共に、配線箱の高さを低減することができる。
【００４３】
なお、図２（ａ）〜（ｃ）には図示されないが、信号盤５が備える制御回路部には、配線箱６６の側面から引き込まれ、配線箱６６，６５を通る通信用信号線が接続される。なお、通信用信号線および前述した電力変換回路部を制御するための信号線は、扱う電力が小さいため、電力線に比べ直径が小さくかつ曲げ易い。この通信用信号線は、乗りかご８３（図３）が備える機器や図示していない各階乗場に備えられる機器に接続され、これらの機器と信号盤５との間における通信に用いられる。図２（ｃ）に示すように、電力線がエレベータ制御装置１の前面側寄りおよび背面側寄りに敷設されることにより、配線箱６５，６６図２（ｃ）において破線で記すような通信用信号線を敷設するためのスペースＡを広く確保できる。これにより、配線箱内における通信用信号線の敷設作業が容易化され、作業性が向上する。
【実施例２】
【００４４】
本発明の実施例２であるエレベータ制御装置について、図５および図６（ａ）〜（ｃ）を用いて説明する。
【００４５】
図５は、本実施例２のエレベータ制御装置の外観を示す。なお、図５は、空冷用の吸気口や操作スイッチおよび計器類などが設けられるエレベータ制御装置の前面側を示し、かつエレベータ制御装置の各制御盤の扉あるいは前面蓋が閉じられた状態を示す。
【００４６】
図５に示すように、本実施例２のエレベータ制御装置１は、４台の制御盤、すなわち、建屋電源から電力を受電する受電回路部を備える受電盤２と、電源用のフィルタ回路部を備えるフィルタ盤３と、建屋電源からの電力を可変電圧可変周波数の交流電力に変換する電力変換回路部を備える主回路盤４１と、電力変換回路部を制御したり外部機器と通信したりする制御回路部を備える信号盤５とから構成される。各制御盤において、各回路部は各筐体内に収納される。受電盤２、フィルタ盤３、主回路盤４１および信号盤５は、この順に、エレベータ制御装置１の前面側に向かって右側から、横一列に並設される。
【００４７】
本実施例２のエレベータ制御装置１は、巻上機の電動機を駆動するための電力が実施例１の約半分というように、実施例１よりも出力電力が小さいため、図５に示すように、主回路盤は１台である。さらに、エレベータ制御装置１が扱う電力に応じて、受電盤２や信号盤５は小型化され、本実施例２では受電盤２や信号盤５の各幅が実施例１の半分程度となる。同様にフィルタ盤３もフィルタ回路部を一個として小型化されるが、本実施例２においては、実施例１と同様のフィルタ回路部３１を用いて、フィルタ盤３の高さを約半分にする。
【００４８】
なお、フィルタ回路部の寸法や形状を変更することにより、フィルタ盤３も幅を狭くして高さは受電盤２などと同じ高さにしてもよい。これにより、フィルタ盤３の接地面積を低減できる。
【００４９】
図５に示すように、受電盤２、フィルタ盤３、主回路盤４１および信号盤５の各直下部には、それぞれ配線箱６２，６３，６４および６５が設置される。各制御盤間およびエレベータ制御装置外への電力線は、これら配線箱内を通して敷設される。受電用の電力線は、受電盤２下の配線箱６２の図中右側の露出側面からエレベータ制御装置外へ取り出され、図示しない配線ダクトや配線管などを用いて建屋電源まで敷設される。また、主回路盤４１の出力用の電力線は、図示されないが、信号盤５下の配線箱６５の図中左側の露出側面からエレベータ制御装置１外へ取り出され、配線ダクトや配線管などを用いて巻上機の電動機まで敷設される。
【００５０】
本実施例２のエレベータ制御装置の回路構成は、図３において、主遮断器２０から分岐する２系統の一方を削除したもの、すなわち、電磁接触器２２、端子台７３、フィルタ回路部３２、端子台７６、端子台７６に接続される電力変換回路部１０、この電力変換回路部に接続されるリアクトル４０および端子台７７を削除したものに相当する。なお、本実施例２においては、図４に示すコンバータ１０１を、電力回生機能を備えないダイオード整流回路に置き換えても良い。
【００５１】
次に、本実施例２のエレベータ制御装置における電力線の敷設について、図６（ａ）〜（ｃ）を参照しながら説明する。なお、図６（ａ）は、エレベータ制御装置の前面側を示し、かつ、配線の状態を分かりやすくするため扉あるいは蓋が除かれた状態を示す。図６（ｂ）は、エレベータ制御装置の前面側の反対側、すなわち背面側を示し、かつ、同様に扉あるいは蓋が除かれた状態を示す。図６（ｃ）は、図６（ａ）における断面Ｂ−Ｂ’の矢視図である。
【００５２】
図６（ａ）に示すように、受電盤２の前面側において、主遮断器２０は上端側に位置し、端子台７２は下端側に位置する。また、端子台７２の直上には、電磁接触器２１が、端子台７２に隣接する。なお、電磁接触器２１は、受電盤２の高さ方向において、下方、かつ主遮断器２０と端子台７２との間に位置する。また、主遮断器２０の動作状態を視認できるように、受電盤２の前面側の扉または蓋は開口部を有しても良い。
【００５３】
また、図６（ａ）が示すように、フィルタ盤３内には、一台のフィルタ回路部３１が設けられる。フィルタ回路部３１は、その高さ方向すなわちフィルタ盤３の高さ方向において、フィルタ回路部３１の一端（入力端子）および他端（出力端子）がこの順で上下に位置するとともに、フィルタ盤３の前面側に位置するように、フィルタ盤３において設置される。
【００５４】
さらに、図６（ａ）が示すように、主回路盤４１内において、電力変換回路部１０は、その上端が主回路盤４１の上端側に隣接するように設置され、リアクトル４０および端子台７４は電力回路部１０の下方において、主回路盤４１の下端側に隣接するように設置される。また、主回路盤４１の前面側において、リアクトル４０および端子台７４は、この順で右左に横一列に並設される。すなわち、フィルタ盤３１と端子台７４との間には、主回路盤４１のリアクトル４０が位置する。
【００５５】
なお、端子台７２，７４およびフィルタ回路部３１の一端および他端は、各々、交流３相分の端子すなわち３個の端子を備える。そして、この３個の端子は、各制御盤の幅方向に横一列に並ぶように配置される。
【００５６】
上記のようなエレベータ制御装置１の前面側において、端子台７２とフィルタ回路部３１の一端は、端子台７２とフィルタ回路部３１の一端との間に敷設される電力線によって、電気的に接続される。また、同前面側において、フィルタ回路部３１の他端と端子台７４は、フィルタ回路部３１の他端と端子台７４との間に敷設される電力線によって、電気的に接続される。
【００５７】
端子台７２に接続される電力線は、受電盤２内を下方へ伸び、配線箱６２内で曲げられ、配線箱６２内を通って、さらに配線箱６３内を通ると共に配線箱６３内で曲げられ、受電盤２側のフィルタ盤３の筐体側面に沿ってフィルタ盤３内を上方へ伸びて、フィルタ回路部３１の一端に接続される。
【００５８】
フィルタ回路部３１の他端に接続される電力線は、フィルタ盤３内を下方へ伸び、配線箱６３内を通ると共に配線箱６３内で曲げられ、さらに配線箱６４内を通ると共に配線箱６４内で曲げられ、主回路盤４１内を上方へ伸びて、端子台７４に接続される。
【００５９】
なお、本実施例２においても、実施例１と同様に、電力線として、絶縁被覆も含めて直径２０〜４０ｍｍの電力ケーブルが適用される。
【００６０】
上述したように、端子台７２，７４およびフィルタ回路部３１の一端および他端がエレベータ制御装置１の前面側に配置されているので、制御盤間を接続する電力線はエレベータ制御装置１の前面側において接続され、図６（ｃ）に示すように、各配線箱内において、エレベータ制御装置１の前面側寄りに敷設される。これにより、電力線を、配線箱内において背面側と前面側との間に敷設するような作業が低減されたり不要になったりするとともに、各配線箱内にスペースが確保され、電力線の敷設作業が容易になる。
【００６１】
また、主回路盤４１において、端子台７４とフィルタ盤３との間には、リアクトル４０が介在する。すなわち、端子台７４は、主回路盤４１において、主回路盤４１の筐体側面の内、フィルタ盤３とは反対側の筐体側面により近く位置する。このため、端子台７４はフィルタ盤３から横方向に離れているので、フィルタ回路部３１の他端に接続される電力線は、配線箱６４内において比較的大きな曲率半径で曲げて端子台７４に接続することができる。従って、配線箱内での電力線の制御盤間敷設作業が容易になり、敷設作業の作業性が向上する。
【００６２】
次に、図６（ｂ）に示すように、受電用の端子台７１は、受電盤２の背面側において、受電盤２の高さ方向の中央付近に位置する。また、端子台７５は、主回路盤４１の背面側の下端部内において、主回路盤４１の筐体側面の内、フィルタ盤３側の筐体側面により近く位置し、かつリアクトル４０に対向する。
【００６３】
なお、端子台７１，７５は、各々、交流３相分の端子すなわち３個の端子を備える。そして、この３個の端子は、各制御盤の幅方向に横一列に並ぶように配置される。
【００６４】
図６（ｂ）に示すように、建屋電源８１からの電力線は、配線箱６２の露出側面から配線箱６２内へ引き込まれ、配線箱６２内で曲げられて、受電盤２内において受電盤２の高さ方向に伸び、端子台７１に接続される。なお、本実施例２のエレベータ制御装置１は実施例１よりも扱う電力が小さいため、端子台７１には、一相当たり１本（三相で計３本）の電力線が接続される。端子台７５に接続される電力線は、主回路盤４１内で下方へ伸び、配線箱６４内で曲げられ、配線箱６４，６５を通って、配線箱６５の側面から外部へ取り出される。また、配線箱６５から取り出された電力線は、エレベータ制御装置１と共に機械室内に設置される巻上機の電動機に接続される。
【００６５】
上述したように、端子台７１，７５がエレベータ制御装置１の背面側に配置されているので、建屋電源および巻上機用の電動機、すなわち外部と、制御盤との間を接続する電力線は、エレベータ制御装置１の背面側において接続され、図６（ｃ）に示すように、各配線箱内において、エレベータ制御装置１の背面側寄りに敷設される。これにより、電力線を、配線箱内において背面側と前面側との間に敷設するような作業が低減されたり不要になったりするとともに、各配線箱内にスペースが確保され、電力線の敷設作業が容易になる。
【００６６】
また、端子台７１は、受電盤２の高さ方向の中央付近に位置するため、配線箱６２の側面から引き込まれる電力線は、配線箱６２内において比較的大きな曲率半径で曲げて端子台７１に接続することができる。さらに、端子台７５は、主回路盤４１内においてフィルタ盤３側の筐体側面に隣接する。すなわち、端子台７５は、主回路盤４１の筐体側面の内、電力線が巻上機へ向かって引き出される配線箱６５の側面側とは反対側における筐体側面により近く位置する。このため、端子台７５に接続される電力線は、配線箱６４内で曲げられた後、配線箱６５内を水平方向へ伸びるように敷設される。これにより、電力線は、比較的大きな曲率半径で曲げて端子台７４に接続することができる。従って、配線箱内での電力線の盤と外部間敷設作業が容易になり、敷設作業の作業性が向上する。
【００６７】
図６（ｃ）に示すように、受電盤２とフィルタ盤３との間の電力線、フィルタ盤３と主回路盤４１との間の電力線はエレベータ制御装置１の前面寄りの位置に敷設され、建屋電源と受電盤２との間の電力線、主回路盤４１と電動機との間の電力線はエレベータ制御装置の背面寄りに敷設される。このため、配線箱内における電力線の交差を低減あるいはなくすことができるので、作業性が向上すると共に、配線箱の高さを低減することができる。
【００６８】
なお、図２（ｃ）に示すように、電力線がエレベータ制御装置の前面側寄りおよび背面側寄りに敷設されることにより、配線箱６５内において、信号盤５に接続される通信線用のスペースを広く確保できる。これにより、配線箱内における通信線の敷設作業が容易化され、作業性が向上する。
【００６９】
なお、本発明は前述した実施例に限定されるものではなく、様々な変形例が含まれる。例えば、前述した実施例は本発明を分かりやすく説明するために詳細に説明したものであり、必ずしも説明した全ての構成を備えるものに限定されるものではない。また、各実施例の構成の一部について、他の構成の追加・削除・置き換えをすることが可能である。
【００７０】
例えば、上述したような電力線の敷設構成を、エレベータ制御装置１の前面側および背面側の一方のみに適用しても、同様の効果を得ることができる。また、エレベータ制御装置は、任意の複数台の制御盤からなるもので良い。
【符号の説明】
【００７１】
１：エレベータ制御装置
２：受電盤
３：フィルタ盤
５：信号盤
１０：主回路部
２０：主遮断器
２１，２２：電磁接触器
３１，３２：フィルタ回路部
４０：リアクトル
４１，４２：主回路盤
５０：制御回路部
６２，６３，６４，６５，６６：配線箱
７１，７２，７３，７４，７５，７６，７７：端子台
８１：建屋電源
８２：電動機
８３：乗りかご
８４：主ロープ
８５：釣り合い錘
１００：パワーモジュール
１０１：コンバータ
１０２：インバータ
１０３：平滑コンデンサ
【図１】
0006329502.tif 000002
【図２（ａ）】
0006329502.tif 000003
【図２（ｂ）】
0006329502.tif 000004
【図２（ｃ）】
0006329502.tif 000005
【図３】
0006329502.tif 000006
【図４】
0006329502.tif 000007
【図５】
0006329502.tif 000008
【図６（ａ）】
0006329502.tif 000009
【図６（ｂ）】
0006329502.tif 000010
【図６（ｃ）】
0006329502.tif 000011